(57)【特許請求の範囲】
【請求項１】
面板部の上端側から内方上向きに傾斜形成された下斜面部と，該下斜面部の上端から外方上向きに形成された上斜面部とによって断面ほぼＬ字形状をなす被嵌合面部と，前記面板部の下端側に形成された被係止部とからなる破風板と、下斜面受け部と上斜面受け部と嵌合端縁とからなるとともに，前記下斜面受け部に対して前記嵌合端縁はその先端に向うに従い間隔が次第に小さくなるものとし、前記被嵌合面部とほぼ同等形状とした嵌合部が上方側に，該嵌合部より下方側に係止部が形成された受金具とからなり、前記受金具の係止部に破風板の被係止部が係止されるとともに、前記被嵌合面部が嵌合部にほぼ抱持状態で嵌合固定されてなることを特徴とする破風構造。
【請求項２】
請求項１において、前記被嵌合面部の下斜面部と上斜面部とのなす隅角は直角寄りの鋭角とし、前記嵌合部の下斜面受け部と上斜面受け部とのなす隅角は、前記下斜面部と上斜面部とのなす隅角に等しく形成されてなることを特徴とする破風構造。
【請求項３】
請求項１又は２において、前記被嵌合面部の上端には外方下向きに屈曲形成された被嵌合端縁が形成されてなることを特徴とする破風構造。
【請求項４】
請求項１，２又は３において、前記上斜面部と被嵌合端縁とのなす隅角は、直角寄りの鋭角とし、前記上斜面受け部と嵌合端縁とのなす隅角は前記上斜面部と被嵌合端縁とのなす隅角にほぼ等しく設定されてなることを特徴とする破風構造。
【発明の詳細な説明】
【０００１】
【産業上の利用分野】
本発明は、戸建住宅等の家屋の屋根，ビルの屋上等の外周を囲む破風板であって、この破風板を正確且つ極めて簡単に装着することができ、且つ装着後においては極めて耐久性に優れたものである破風構造に関する。
【０００２】
【従来の技術】
従来より、家屋又はアパート等の屋根又は上部の外周に垂直又は傾斜面の金属製破風の取付は、事前に加工された破風材を何らかの方法で下地材に仮留めしながら形良く納め、釘，木ネジ等の固着具により固定し、取り付けてゆくのが一般的である。具体的には、図９に示すように、木材をベースにした下地構造材ａを軒先又は切妻箇所等所定位置に装着し、その下地構造材に合わせて破風材ｂが固着されるものである。
【０００３】
【発明が解決しようとする課題】
しかし、この構造による欠点は、破風材ｂの取付時に直線性或いは平面性を維持するのが難しく、未熟な作業員では、その仕上り状態が極めて不良となるおそれがある。それゆえに、この作業を行う作業員には時間と経験が必要である。さらに、一旦，取り付けた破風材は、釘孔又はビス孔等に固着されるので、すでに釘孔等開いており、また歪変形等も生じて傷んでしまっていることが多い。
【０００４】
そのために修正する時には、一旦，使ってしまった破風材は使用できず、新たな破風材が必要となり、工期のみならず材料費，工費等がさらに増えることとなる欠点があった。また、破風材ｂと屋根材との組合せ構造における端部同士の接合が不適合であると、その箇所より雨水の浸入のおそれがある。また、屋根工事者は、破風材ｂの取付完了後に屋根と破風材ｂとの仕舞いを行うことになり、工事が二つに分断され、工事時間の空白が存在し、極めて非効率的な作業である。
【０００５】
【課題を解決するための手段】
そこで、発明者は上記課題を解決すべく、鋭意，研究を重ねた結果、本発明を、面板部の上端側から内方上向きに傾斜形成された下斜面部と，該下斜面部の上端から外方上向きに形成された上斜面部とによって断面ほぼＬ字形状をなす被嵌合面部と，前記面板部の下端側に形成された被係止部とからなる破風板と、下斜面受け部と上斜面受け部と嵌合端縁とからなるとともに，前記下斜面受け部に対して前記嵌合端縁はその先端に向うに従い間隔が次第に小さくなるものとし、前記被嵌合面部とほぼ同等形状とした嵌合部が上方側に，該嵌合部より下方側に係止部が形成された受金具とからなり、前記受金具の係止部に破風板の被係止部が係止されるとともに、前記被嵌合面部が嵌合部にほぼ抱持状態で嵌合固定されてなることを特徴とする破風構造としたことにより、前述した欠点を克服し、経験未熟者であっても、高い精度に仕上げることができるとともに、さらに釘，木ねじを使用せずに水勾配を持った破風材でありながらも極めて強固に取り付けることを可能とし上記課題を解決したものである。
【０００６】
【発明の実施の形態】
以下、本発明の実施形態を図面に基づいて説明する。本発明は、破風板Ａと受金具Ｂとから構成される。また、本発明の説明では、主に図１（Ａ）に示すように、一般的な家屋の建築構造物２０の切妻箇所２１及び軒先箇所２２に設置される場合について述べてゆくことにする。図１（Ｂ）は、図１（Ａ）のＸ１  −Ｘ１  矢視における拡大断面図であって、前記建築構造物２０の切妻箇所２１における破風構造の拡大断面図である。
【０００７】
まず、その破風板Ａは、図２（Ｂ），図３（Ａ）等に示すように、使用時には、垂直面となる面板部１が形成され、該面板部１の上端に被嵌合面部Ａ１  が形成されている。該被嵌合面部Ａ１  は、図３（Ａ），図４（Ａ）等に示すように、下斜面部２，上斜面部３及び被嵌合端縁４とから構成される。まず、下斜面部２は、前記面板部１の上端から内方上向きに形成されている。
【０００８】
ここで、前記破風板Ａの内方とは、該破風板Ａの裏面側に向かう方向であり、図３（Ａ），図４及び図６等では、破風板Ａの右側となる。また、ここで前記破風板Ａの裏面側とは、面板部１，被嵌合面部Ａ１  等が切妻箇所２１及び軒先箇所２２の下地部に対向する面である。また、前記破風板Ａの外方とは、該破風板Ａの表面側に向かう方向であり、図３（Ａ），図４及び図６等では、破風板Ａの左側となる。
【０００９】
前記破風板Ａは、金属薄板材から成形される。また、化粧板としても使用されるので、その表面は、均一表面となる金属面としたり、或いは樹脂コーティング等，種々の表面仕上が施されることもある。その被嵌合面部Ａ１  における下斜面部２は、図４（Ａ）に示すように、平坦状なる傾斜面として形成されたものである。該下斜面部２の上端から外方上向きに上斜面部３が形成されている。上斜面部３は、前記下斜面部２に対してほぼ直角内外の角度又は直角に近い鋭角に形成され、その具体的な角度については後述する。また、上斜面部３は、前記下斜面部２と同様に平坦状な面として形成され、且つ上斜面部３は下斜面部２よりも小面積に形成されることが多い。
【００１０】
その上斜面部３の頂部には、図４（Ａ）に示すように、被嵌合端縁４が形成されている。該被嵌合端縁４は、前記上斜面部３とともに、破風板Ａの上部箇所を受金具Ｂにて固定するための部位である。その被嵌合端縁４は、前記上斜面部３の頂部から外方下向きに形成されたものである。また、被嵌合端縁４は、前記上斜面部３に比較して極めて小面積であり、また上斜面部３に対してほぼ直角或いは直角に近い鋭角に形成される。
【００１１】
前記面板部１の下端には、図２（Ｂ），図３（Ａ）等に示すように、被係止部５が形成されている。該被係止部５は、後述するように、受金具Ｂの下部側にて固定される部位である。具体的には、前記面板部１の裏面側に向かってほぼ水平状に屈曲形成されて水平底面５ａが形成され、該水平底面５ａの奥側端より上方に垂直端縁５ｂが形成されたものである。また、前記面板部１には、図２（Ｂ），図３（Ａ）等に示すように、段差部１ａが形成されており、面板部１の下方側は前記段差部１ａを介して裏面側に段差を介して凹む形状となっている。該段差部１ａは、傾斜状に形成されたり、或いは水平状に形成されることもある。
【００１２】
次に、受金具Ｂは、図２（Ｃ），図３（Ｂ）等に示すように、前記破風板Ａを建築構造物２０の切妻箇所２１（或いは軒先箇所２２）等における下地部に装着する役目をなすものであり、前記破風板Ａよりも板厚の厚い金属帯板材から成形される。その受金具Ｂは、まず固定部８が形成されている。該固定部８は、その断面形状がほぼコ字形状に屈曲形成されたものであって、建築構造物２０の下地材に固着される固定片８ａの上端より固定上片８ｂが形成され、前記固定片８ａの下端から固定下片８ｃが形成されている。その固定上片８ｂは、前記固定片８ａに対してほぼ直角又は上方に傾斜している。その固定下片８ｃは、前記固定片８ａに対してほぼ直角又は直角に近い鋭角である。
【００１３】
その固定上片８ｂの他端から上方には、図４（Ｂ）に示すように、嵌合部Ｂ１  が形成されている。該嵌合部Ｂ１  は、前記破風板Ａの被嵌合面部Ａ１  を嵌合固定する部位である。その嵌合部Ｂ１  は、下斜面受け部９，上斜面受け部１０及び嵌合端縁１１とから構成される。前記下斜面受け部９は、図１（Ｂ），図３（Ｂ）に示すように、前記固定部８の上端で且つ前記固定上片８ｂの端部から前記破風板Ａの下斜面部２と同一方向に傾斜するように形成されている。したがって、前記下斜面受け部９は、前記下斜面部２とほぼ同等の勾配に形成され、該下斜面部２の裏面側にほぼ当接状態となって支持する。
【００１４】
前記上斜面受け部１０は、前記下斜面受け部９の上端より、前記破風板Ａの受金具Ｂと同一方向に傾斜するように形成されている。したがって、前記上斜面受け部１０は、前記上斜面部３とほぼ同等の勾配に形成され、該上斜面部３の裏面側にほぼ当接状態となって支持する。その上斜面受け部１０の頂部から外方下向きに嵌合端縁１１が形成されている。
【００１５】
該嵌合端縁１１は、前記破風板Ａの被嵌合端縁４にほぼ当接状に嵌合するものである。すなわち、前述した下斜面受け部９，上斜面受け部１０及び嵌合端縁１１からなる嵌合部Ｂ１  が、図１（Ａ），（Ｂ）に示すように、図１（Ｂ），図２（Ａ），図６（Ｂ）等に示すように、前記破風板Ａの下斜面部２，上斜面部３及び被嵌合端縁４からなる被嵌合面部Ａ１  をほぼ抱持状態で嵌合固定するものである。さらに、受金具Ｂの固定片８ａの下端から垂下状部１２が形成され、該垂下状部１２の下端に係止部１３が形成されている。該係止部１３は、前記破風板Ａの被係止部５に係止し、破風板Ａの下方側を支持固定する役目をなす。
【００１６】
ここで前記受金具Ｂの嵌合部Ｂ1 において図４（Ｂ）に示すように、上斜面受け部１０の上下方向に沿って寸法Ｓ3 とし、前記下斜面受け部９と嵌合端縁１１とを最大間口寸法をＳ2 とする。また、最小間口寸法をＳ1 とする。該最小間口寸法Ｓ1 は、嵌合端縁１１の先端より前記下斜面受け部９に最も近い位置との間隔のことであり、最大間口寸法Ｓ2 は、嵌合端縁１１と上斜面受け部１０との角部箇所から前記下斜面受け部９に最も近い位置との間隔である。これらの寸法Ｓ1 ，Ｓ2 ，Ｓ3 の大小の関係は、Ｓ3 ＞Ｓ2 ＞Ｓ1 となる。
【００１７】
さらに、破風板Ａの被嵌合面部Ａ１  において、上斜面部３は、前記受金具Ｂの上斜面受け部１０の前記寸法Ｓ３  と近似する寸法Ｓ３  ′であり、寸法Ｓ３  と寸法Ｓ３  ′との関係は寸法Ｓ３  ＞Ｓ３  ′であるが、その差は微小であることが望ましい。すなわち、図６（Ｂ）に示すように、上斜面部３が下斜面受け部９と嵌合端縁１１との間にほぼ密接状態で収まりながら上斜面受け部１０と当接状態になるように上斜面部３の長さが設定される。
【００１８】
さらに、図４（Ａ）に示すように、破風板Ａの下斜面部２と上斜面部３とのなす隅角αとすると、この隅角αは、直角に近い鋭角に設定される。具体的に示すと、およそ７０°≦α＜９０°程度である。さらに具体的には、前記隅角αは約８０°程度が好ましい。また、上斜面部３と被嵌合端縁４とのなす隅角γとすると、この隅角γは、直角に近い鋭角に設定される。具体的に示すと、前記同様におよそ７０°≦γ＜９０°程度となる。さらに具体的には、隅角γは約８０°程度が好ましい。
【００１９】
また、図４（Ｂ）に示すように、受金具Ｂについても同様に、下斜面受け部９と上斜面受け部１０とのなす隅角は前記隅角αにほぼ等しく、上斜面受け部１０と嵌合端縁１１とのなす隅角は前記隅角γにほぼ等しく設定される。これによって、受金具Ｂの嵌合部Ｂ１  に破風板Ａの被嵌合面部Ａ１  がほぼ密接状態で抱持状に嵌合される。
【００２０】
前記受金具Ｂが建築構造物２０の所定箇所、たとえば前記切妻箇所２１の所定位置に装着される。前記受金具Ｂの固着は、ビス，釘等の固着具１５が使用される。このような受金具Ｂが切妻箇所２１に沿って、複数配置される。このときに受金具Ｂは、高さ方向の位置等が正確となるように配置される。そのために、受金具Ｂの固定片８ａには、図２（Ｃ）に示すように、位置調整用に長孔とした取付孔８ｄが形成され、前記固着具１５を使用した場合に、固着具１５を緩めた状態で受金具Ｂを高さ方向に位置が調整できるようにしておくこもある。
【００２１】
次に、その複数の受金具Ｂの下方における係止部１３に破風板Ａがその被係止部５側から係止される。次いで、係止部１３と被係止部５との係止部位を中心にして破風板Ａを回動させるようにし、その破風板Ａの上方側が受金具Ｂの上方に近接され、破風板Ａの下斜面部２が受金具Ｂの下斜面受け部９に当接されつつ、前記下斜面部２が下斜面受け部９上を摺動させ、上斜面部３及び被係止屈曲端縁４が受金具Ｂの上斜面受け部１０及び嵌合端縁１１に抱持されるように押し込まれる。
【００２２】
このときの嵌合するために要する押圧力Ｆにより、受金具Ｂの下斜面受け部９と嵌合端縁１１との最小間口寸法Ｓ１  にから反力がかかり、前記破風板Ａの下斜面部２と上斜面部３とのなす角（隅角α）及び前記上斜面部３と被係止屈曲端縁４とのなす角（隅角γ）が狭められるように作用する。その角度が弾性により隅角αより小さい角度βとなるように変形する〔図６（Ａ）参照〕。
【００２３】
そして、さらに破風板Ａを受金具Ｂの方向に押し込むように押圧力Ｆをかけることで、破風板Ａの下斜面部２，上斜面部３及び被係止屈曲端縁４が前記受金具Ｂの下斜面受け部９，上斜面受け部１０及び嵌合端縁１１に囲まれた部分に嵌合するようにして入り込み、その弾性変形して狭められた下斜面部２，上斜面部３又は上斜面部３と被係止屈曲端縁４とのなす角（隅角α又は隅角γ）が復元力により広がり、これらが抱持される状態となって固定されるものである。
【００２４】
また、図６（Ｂ）に示すように、前記破風板Ａに負圧、或いは該破風板Ａの裏面側から風圧等の外力Ｇがかかった場合に、前記上斜面部３と被嵌合端縁４とのなす頂点箇所を回転中心として、下斜面部２と上斜面部３とのなす角箇所に回転モーメントが作用することになる。しかし、前述したようにＳ３  ＞Ｓ２  ＞Ｓ１  なる関係及びα＜９０°なる条件により、前記下斜面部２は、下斜面受け部９から前記モーメントに対する反力としての圧力を受けることとなり、嵌合部Ｂ１  から被嵌合面部Ａ１  の抜けようとする力に対する抵抗力に発生し、強固なる構造となる。
【００２５】
また、受金具Ｂの嵌合部Ｂ１  に対し、前記破風板Ａが前記外力Ｇにより内方〔背面方向（裏面側方向）〕から外方に凸状に膨出変形するため、前記被嵌合面部Ａ１  には、嵌合部Ｂ１  への嵌合作業のときのような現象とは反対に、抜けやすくなる可能性もあるが、前記上斜面受け部１０と上斜面部３との隙間寸報を極小値にすることで、背面部方向から外方への凸状の膨出変形を防止し、強固なる外れ防止力機能となる。したがって、嵌合部Ｂ１  と被嵌合面部Ａ１  とがほぼ密着状に嵌合する構造であることが最も強固な嵌合構造となる。
【００２６】
本発明では、受金具Ｂに破風板Ａを装着する際にビス，釘，木ねじ等の固着具は不要であるが、より装着強度を増加させるためにビス，ボルト・ナット等の固着具１６が使用されることもある。具体的には、図７（Ａ）に示すように、被嵌合面部Ａ１  の下斜面部２と嵌合部Ｂ１  の下斜面受け部９とが固着具１６によって締め付けられる。さらに、図７（Ｂ）に示すように、被嵌合面部Ａ１  の上斜面部３と嵌合部Ｂ１  の上斜面受け部１０とが固着具１６によって締め付けられることもある。
【００２７】
また、図１（Ｂ）は、図１（Ａ）のＸ１  −Ｘ１  矢視断面図であり、切妻箇所２１に破風板Ａが受金具Ｂによって装着されている状態が示されている。さらに図８（Ａ）は、図１（Ａ）のＸ２  −Ｘ２  矢視断面図であり、軒先箇所２２に破風板Ａが受金具Ｂによって装着されている状態が示されている。その破風板Ａ及び受金具Ｂは、切妻箇所２１及び軒先箇所２２によって、その形状が適宜に変化したものが使用されることもある。なお、本発明では、前記破風板Ａは、建築構造物２０における１階と２階の壁面接続用のモールとしたり、或いは建築構造物２０の化粧モールとしての適用も含まれ、その適用範囲は、特に破風構造に限定されるものではない。
【００２８】
【発明の効果】
請求項１の発明は、面板部１の上端側から内方上向きに傾斜形成された下斜面部２と，該下斜面部２の上端から外方上向きに形成された上斜面部３とによって断面ほぼＬ字形状をなす被嵌合面部Ａ1 と，前記面板部１の下端側に形成された被係止部５とからなる破風板Ａと、下斜面受け部９と上斜面受け部１０と嵌合端縁１１とからなるとともに，前記下斜面受け部９に対して前記嵌合端縁１１はその先端に向うに従い間隔が次第に小さくなるものとし、前記被嵌合面部Ａ1 とほぼ同等形状とした嵌合部Ｂ1 が上方側に，該嵌合部Ｂ1 より下方側に係止部１３が形成された受金具Ｂとからなり、前記受金具Ｂの係止部１３に破風板Ａの被係止部５が係止されるとともに、前記被嵌合面部Ａ1 が嵌合部Ｂ1 にほぼ抱持状態で嵌合固定されてなる破風構造としたことにより、まず第１に破風板Ａを極めて簡単に装着することができるし、第２に破風板Ａを正確に装着することができる等の効果を奏する。
【００２９】
上記効果を詳述すると、破風板Ａは、面板部１の上端側から内方上向きに断面ほぼＬ字形状の被嵌合面部Ａ１  が形成され，下端側に被係止部５が形成されたたものであり、また受金具Ｂは、断面ほぼＬ字形状の嵌合部Ｂ１  が形成され，且つ下方側には係止部１３が形成されたものである。これによって、前記受金具Ｂの係止部１３に破風板Ａの被係止部５が係止され、前記被嵌合面部Ａ１  が嵌合部Ｂ１  に嵌合状態で抱持されるもので、破風板Ａを極めて簡単に装着することができる。また、受金具Ｂを建築構造物２０に正確に装着すれば、あとは破風板Ａを受金具Ｂに沿って押圧するようにして装着すると極めて正確な破風板Ａの取り付けができるものである。これによって、熟練した作業員でなくとも、均一な仕上がりにすることができる。また、破風板Ａの被嵌合面部Ａ１  は外方下向きで雨水が溜まることを防止するものである。
【００３０】
請求項２の発明は、請求項１において、前記被嵌合面部Ａ1 の下斜面部２と上斜面部３とのなす隅角αは直角寄りの鋭角とし、前記嵌合部Ｂ1 の下斜面受け部９と上斜面受け部１０とのなす隅角は、前記下斜面部２と上斜面部３とのなす隅角に等しく形成されてなる破風構造としたことにより、破風板Ａを受金具Ｂに何ら固着具を使用しないで装着することができる。
【００３１】
上記効果を詳述すると、被嵌合面部Ａ１  は、前記下斜面部２と上斜面部３とのなす隅角αは直角寄りの鋭角とし、嵌合部Ｂ１  は、その被嵌合面部Ａ１  を下斜面受け部９と上斜面受け部１０と嵌合端縁１１により抱持状態で嵌合することができる。これによって、破風板Ａを嵌合部Ｂ１  に押圧するのみで、破風板Ａを受金具Ｂに簡易且つ迅速に装着するとともに、前記隅角αは直角寄りの鋭角としているので、極めて外れにくい構造にできる。また、下斜面部２は、破風板Ａの外方下向きに傾斜するので、雨水が溜まりにくい構造とすることができる。
【００３２】
請求項３の発明は、請求項１又は２において、前記被嵌合面部Ａ１  の上端には外方下向きに屈曲形成された被嵌合端縁４が形成されてなる破風構造としたことにより、被嵌合面部Ａ１  は被嵌合端縁４が嵌合部Ｂ１  により抱持状態となり、より一層強固なる嵌合状態にすることができる。
【００３３】
請求項４の発明は、請求項１，２又は３において、前記上斜面部３と被嵌合端縁４とのなす隅角γは、直角寄りの鋭角とし、前記上斜面受け部１０と嵌合端縁１１とのなす隅角は前記上斜面部３と被嵌合端縁４とのなす隅角γにほぼ等しく設定されてなる破風構造としたことにより、嵌合部Ｂ1 の下斜面受け部９及び嵌合端縁１１の開口側間口寸法が内部幅より狭くなり、嵌合部Ｂ1 による被嵌合面部Ａ1 との装着状態が極めて精度の高いものとなり、その嵌合状態を最も強固にすることができる。
【図面の簡単な説明】
【図１】（Ａ）は本発明が使用された家屋の斜視図
（Ｂ）はＸ１  −Ｘ１  矢視の拡大断面図
【図２】（Ａ）は本発明の要部斜視図
（Ｂ）は破風板の斜視図
（Ｃ）は受金具の斜視図
【図３】（Ａ）は破風板の断面図
（Ｂ）は受金具の一部断面とした側面図
【図４】（Ａ）は破風板の要部拡大断面図
（Ｂ）は受金具の要部拡大側面図
【図５】受金具に破風板を装着する状態を示す作用図
【図６】（Ａ）は受金具に破風板を装着する工程の要部拡大断面図
（Ｂ）は受金具に破風板を装着完了した要部拡大断面図
【図７】（Ａ）は被嵌合面部の下斜面部と嵌合部の下斜面受け部とが固着具によって締め付けられた状態を示す縦断側面図
（Ｂ）は被嵌合面部の上斜面部と嵌合部の上斜面受け部とが固着具によって締め付けられた状態を示す縦断側面図
【図８】（Ａ）は図１におけるＸ２  −Ｘ２  矢視断面図
（Ｂ）は破風板の斜視図
（Ｃ）は受金具の斜視図
【図９】従来技術の略示断面図
【符号の説明】
Ａ…破風板
Ａ１  …被嵌合面部
Ｂ…受金具
Ｂ１  …嵌合部
１…面板部
２…下斜面部
３…上斜面部
４…被嵌合端縁
５…被係止部
９…下斜面受け部
１０…上斜面受け部
１１…嵌合端縁
１３…係止部
【図１】
0003590013.tif 000002
【図２】
0003590013.tif 000003
【図３】
0003590013.tif 000004
【図４】
0003590013.tif 000005
【図５】
0003590013.tif 000006
【図６】
0003590013.tif 000007
【図７】
0003590013.tif 000008
【図８】
0003590013.tif 000009
【図９】
0003590013.tif 000010